(57)【要約】 【課題】  高い放熱効果を有するＬＥＤ照明装置を提出する。【解決手段】  ランプ殻１は、一方の面が弧状に形成されており、他方の面に空腔が形成されており、一端に漸近的に縮小する頸部が形成されており、頸部には二つの孔が形成されている。フィン１１は、ランプ殻１の一方の面にランプ殻１の長手方向に設けられており、ランプ殻１の短手方向に横方向溝１１０が形成されており、排熱面積を増やす。銅製基板は、ランプ殻１の空腔内に固定されており、複数個のねじ孔を有する。【選択図】図１
0003183946.tif 000002
【実用新案登録請求の範囲】
【請求項１】
一方の面が弧状に形成されており、他方の面に空腔が形成されており、一端に漸近的に縮小する頸部が形成されており、当該頸部には二つの孔が形成されているランプ殻と、
前記ランプ殻の前記一方の面に前記ランプ殻の長手方向に設けられており、前記ランプ殻の短手方向に横方向溝が形成されており、排熱面積を増やすフィンと、
前記ランプ殻の前記空腔内に固定されており、複数個のねじ孔が形成されている銅製基板と、を備えることを特徴とするＬＥＤ照明装置。
【請求項２】
前記ランプ殻は、楕円形であり、一体成形されていることを特徴とする請求項１記載ＬＥＤ照明装置。
【請求項３】
前記ランプ殻は、四方形であり、一体成形されていることを特徴とする請求項１記載のＬＥＤ照明装置。
【請求項４】
前記フィンは、短手方向に横方向溝が二つ形成されていることを特徴とする請求項１記載のＬＥＤ照明装置。
【請求項５】
前記横方向溝は、前記ランプ殻の温度を４〜５度下げることが可能であることを特徴とする請求項１記載のＬＥＤ照明装置。
【請求項６】
前記ランプ筋に複数のＬＥＤランプが設けられており、
前記ランプ筋は、必要なブライトネスによって異なる本数を有し、並びに前記銅製基板の横軸に沿って排列されており、ブライトネスを増やすことが可能であることを特徴とする請求項１記載のＬＥＤ照明装置。
【考案の詳細な説明】
【技術分野】
【０００１】
本考案は、ＬＥＤ照明装置に関するものである。
【背景技術】
【０００２】
従来、特許文献１に記載の集光ランプが知られている。高い透明度を有する材料によって形成され各弧面が特定比例値を有する中実のフード（ｈｏｏｄ）が設けられている。フードの中央は、フード底の弧凸曲面とフード頂の弧凸曲面の両凸レンズ（ｌｅｎｓ）面に形成される。フード頂の弧凸曲面をめぐりまわる周囲は、フード面が内向きの弧凹曲面に形成される。フード底の周囲に外向きに弧凸する放物面を形成する。フード底の中央には内向きに発光ダイオード（ｄｉｏｄｅ）（ＬＥＤ）を収納する筒孔が設けられている。このような構成によって発光ダイオードの射出光線は両凸レンズ面の固定中心光軸を通じてより高い集束の光量がフード前の中心個所に照射する。そして、発光ダイオードが傍に照射する乱射光は、筒孔を貫き通って放物面で折り返し、フード面の内向き弧凹曲面から反射貫き出して中心光軸に沿って集束される。よって、発光ダイオードの発光量は更に集中して光増大の効果が得られる。
【先行技術文献】
【特許文献】
【０００３】
【特許文献１】台湾特許公開番号Ｍ３２８５３９号明細書
【考案の概要】
【考案が解決しようとする課題】
【０００４】
従来の技術から分かるように、各種照明装置に於いて照明効果が最も重要である。ＬＥＤランプはハイパワー（ｈｉｇｈ  ｐｏｗｅｒ）のランプであるので高い熱エネルギー（ｅｎｅｒｇｙ）が放出され、そのために放熱も非常に重要である。放熱がよくなければ高温はＬＥＤランプのブライトネス（ｂｒｉｇｈｔｎｅｓｓ）の低下、寿命の低下等を導く。
本考案の目的は、高い放熱効果を有するＬＥＤ照明装置を提出することにある。
【課題を解決するための手段】
【０００５】
本考案によるＬＥＤ照明装置は、ランプ殻、フィン、および、銅製基板を備える。
ランプ殻は、一方の面が弧状に形成されており、他方の面に空腔が形成されており、一端に漸近的に縮小する頸部が形成されており、当該頸部には二つの孔が形成されている。
フィンは、ランプ殻の一方の面にランプ殻の長手方向に設けられており、ランプ殻の短手方向に横方向溝が形成されており、排熱面積を増やす。
銅製基板は、ランプ殻の空腔内に固定されており、複数個のねじ孔が形成されている。
本考案のＬＥＤ照明装置は、元の縦方向に沿って排列するフィンに複数の横方向溝を増やすことで、熱エネルギーを横方向溝により螺旋状に拡散する。そのために熱エネルギーをより効果的に外へ伝達することができる。テスト（ｔｅｓｔ）の結果によれば、ランプ殻の温度を４〜５度下げることができる。全体的に言えば、効果的にＬＥＤランプの熱を拡散する一方、照明装置全体の寿命を増やすことができる。ＬＥＤランプに消耗された電気エネルギーも従来の四割ぐらいであるので、全体的に電気エネルギーを節約することができる。
【図面の簡単な説明】
【０００６】
【図１】本考案の第一実施形態によるＬＥＤ照明装置の模式図である。
【図２】本考案の第一実施形態によるＬＥＤ照明装置の模式図である。
【図３】本考案の第一実施形態によるＬＥＤ照明装置の模式図である。
【図４】本考案の第二実施形態によるＬＥＤ照明装置の模式図である。
【考案を実施するための形態】
【０００７】
本考案の実施形態を図面に基づいて説明する。
（第一実施形態）
図１から図３に基づいて本考案の第一実施形態のＬＥＤ照明装置を説明する。
【０００８】
ランプ殻１は、楕円状であり、一体成形されている。ランプ殻１の一方の面は弧状に形成され、他方の面は空腔１００が形成されている。ランプ殻１の一端には漸近的に縮小する頸部１０１が形成されており、頸部１０１には二つの孔１０２が形成されている。その二つの孔１０２は、ねじ（図面には示されていない）によってランプ殻１を枠（例えば街路灯の支柱）に固定するのに用いられる。
【０００９】
ランプ殻１の弧状面には複数のフィン１１が設けられている。これらフィン１１は排熱面積を増やすことができ、排熱効果を向上させることができる。フィン１１はランプ殻１の長軸方向に沿って排列され、フィン１１の中間個所にはランプ殻１の短軸方向に沿って二個所の横方向溝１１０が切り出されており、熱気の排出に用いられる。フィン１１は熱エネルギーを外へ拡散し、熱エネルギーは横方向溝を経て螺旋状に拡散する。テストの結果によればランプ殻１の温度を４〜５度下げることができる。全体的に言えば、効果的にＬＥＤ照明装置の熱エネルギーを拡散することができる一方、ＬＥＤ照明装置全体の寿命を増やすことができる。
【００１０】
銅製基板２はランプ殻の空腔内に固定されている。銅製基板２には複数個の電線（図示せず）の締め付けに用いられる複数個のねじ孔が設けられている。電線には複数個のＬＥＤランプが設けられている。電線は設計上の必要なブライトネス（ｂｒｉｇｈｔｎｅｓｓ）によって異なる本数を有し、並びに銅製基板の横軸に沿って排列され、ブライトネスを増やすことができる。
【００１１】
（第二実施形態）
本考案の第二実施形態を図４に基づいて説明する。各部材の番号は第一実施形態と同じく、機能も第一実施形態と同じである。本実施形態では、ランプ殻１’が四角形であり、一体に成形されている。ランプ殻の一方の面は概して弧状であり、他方の面は空腔に形成されている。残りの形態は上述実施形態と同じであるので、ここではその説明を省略する。
【００１２】
本考案のランプ殻の形態は前述の実施形態中の形態に限らず、それらランプ殻の形態は長方形、円形等にすることもできる。
【００１３】
本考案は、縦方向に沿って排列されているフィンに複数の横方向溝が形成されている。これにより、熱エネルギーは、横方向溝を経て螺旋状に拡散するので、より有効に外へ排出される。テストの結果によればランプ殻の温度を４〜５度下げることができる。本考案のＬＥＤ照明装置の寿命は従来のＬＥＤ照明装置に比べ長いので、最初の購買コストが高いが、長い時間で見ると本考案のＬＥＤ照明装置は従来のＬＥＤ照明装置より購買コストが低くなる。更に、ＬＥＤ照明装置が消耗するエネルギーは従来技術のランプの四割ぐらいであるので、全体的にエネルギーを節約することができる。また、従来のランプは蠅や蚊等昆虫をランプ殻内に誘い込み、昆虫の屍骸がランプ殻にくっついて斑点になって照明が影響される。これに対し、本考案のＬＥＤ照明装置はスペクトル（ｓｐｅｃｔｒｕｍ）が狭いので昆虫を誘うことなく、照明が影響しされない。
【００１４】
本考案は、上述した実施形態に限定されるものではなく、考案の趣旨を逸脱しない範囲で種々の形態で実施可能である。
【符号の説明】
【００１５】
１、１’・・・ランプ殻、
１１・・・フィン、
１１０・・・横方向溝、
１０１・・・頸部、
１０２・・・孔。
【図１】
0003183946.tif 000003
【図２】
0003183946.tif 000004
【図３】
0003183946.tif 000005
【図４】
0003183946.tif 000006